(57)【要約】【課題】アジテータによって搬送されたトナーをアジテータの回転軸の軸方向に搬送しつつ、装着動作に合せて現像器または画像形成装置に対して位置決めすることができる。【解決手段】  トナーカートリッジ１は、筐体２、アジテータ３、オーガ４、第１突起５および第２突起６を備える。筐体２は、第１トナー収容部２Ａと、第２トナー収容部２Ｂとを備え、第１開口２Ｃを有する。アジテータ３は、第１トナー収容部２Ａから第２トナー収容部２Ｂへトナーを搬送する。オーガ４は、第１方向において、第２トナー収容部２Ｂから第１開口２Ｃへトナーを搬送する。第１突起５と第２突起６とは、第１方向において互いに離れており、トナーカートリッジ１が現像器３１に装着されるときに、現像器３１に対して位置決めされる。オーガ４および第１開口２Ｃは、第１突起５と第２突起６との間に位置する。【選択図】図１
2017182008.tif 000002
【特許請求の範囲】
【請求項１】
第１方向に延びる筐体であって、
前記第１方向に延びる第１内部空間を含む第１トナー収容部と、
前記第１方向に延びる第２内部空間であって、前記第１内部空間と接続された第２内部空間を含む第２トナー収容部であって、第２方向において前記第１トナー収容部の一方側に位置する第２トナー収容部とを備える筐体であって、
前記第１方向において前記第２トナー収容部の一方側に位置する第１開口であって、前記第２内部空間内のトナーが排出されることを許容するための第１開口を有する筐体と、
前記第１方向に延びる第１軸について回転可能なアジテータであって、前記第１内部空間内の前記トナーを撹拌するためのアジテータであって、前記第１内部空間から前記第２内部空間へ前記トナーを搬送するためのアジテータと、
前記第１方向に延びる第２軸について回転可能なオーガであって、前記第２内部空間から前記第１開口へ前記トナーを搬送するためのオーガと、
前記第１方向において前記第２トナー収容部の一方側、かつ、前記第１開口の一方側に位置する第１突起であって、前記第１方向に延びる第１突起と、
前記第１方向において前記第２トナー収容部の他方側に位置する第２突起であって、前記第１方向に延びる第２突起と、
を備えることを特徴とするトナーカートリッジ。
【請求項２】
前記第１突起は、前記第１軸と前記第２軸とを結ぶことにより定義される第２方向に延び、
前記第２突起は、前記第２方向に延びることを特徴とする請求項１に記載のトナーカートリッジ。
【請求項３】
前記第１方向および前記第２方向と交差する第３方向における前記第２突起の幅は、前記第３方向における第１突起の幅と異なることを特徴とする請求項１または請求項２に記載のトナーカートリッジ。
【請求項４】
前記オーガは、前記第１方向における一端部と、前記一端部と前記第１方向に離れた他端部とを有し、
前記第１方向における前記オーガの一端部の周面の一部は、前記第１開口を介して露出されることを特徴とする請求項１から請求項３のいずれか一項に記載のトナーカートリッジ。
【請求項５】
前記トナーカートリッジは、さらに、
前記第１開口を閉じる閉状態と、前記第１開口を開ける開状態とを有し、前記第１方向における前記第２トナー収容部の一端部に位置するシャッタであって、前記第１突起を備えるシャッタを備えることを特徴とする請求項１から請求項４のいずれか一項に記載のトナーカートリッジ。
【請求項６】
前記第１突起は、前記シャッタから前記第１方向に延びることを特徴とする請求項５に記載のトナーカートリッジ。
【請求項７】
前記シャッタは、前記第１方向に延びる第３軸について、回転可能であって、閉位置から開位置へ回転可能であり、
前記シャッタが前記閉位置に位置する場合、前記シャッタは前記第１開口を閉じ、
前記シャッタが前記開位置に位置する場合、前記シャッタは前記第１開口を開けることを特徴とする請求項５または請求項６に記載のトナーカートリッジ。
【請求項８】
前記第１突起は、前記シャッタと共に回転可能であることを特徴とする請求項７に記載のトナーカートリッジ。
【請求項９】
前記シャッタは、第２開口を有し、
前記シャッタが前記開位置に位置する場合、前記第２開口の少なくとも一部と、前記第１開口の少なくとも一部が重なることを特徴とする請求項７または請求項８に記載のトナーカートリッジ。
【請求項１０】
前記オーガは、前記第１方向における一端部と、前記一端部と前記第１方向に離れた他端部とを有し、
前記第１方向における前記オーガの一端部の周面の一部は、前記第１開口を介して露出され、
前記シャッタが前記開位置に位置する場合、前記オーガの一端部は、前記第１開口を介して露出されることを特徴とする請求項７から請求項９のいずれか一項に記載のトナーカートリッジ。
【請求項１１】
前記第２トナー収容部は、前記第２トナー収容部の一端部に位置する第３開口を有し、
前記筐体は、さらに、
前記第２トナー収容部の一端部を覆うカバーであって、前記第３開口を覆うカバーを備えることを特徴とする請求項１から請求項１０のいずれか一項に記載のトナーカートリッジ。
【請求項１２】
前記第２トナー収容部は、前記第２トナー収容部の一端部に位置する第３開口を有し、
前記オーガは、前記第１方向における一端部と、前記一端部と前記第１方向に離れた他端部とを有し、
前記オーガの一端部は、前記第３開口を介して、前記第２トナー収容部から露出され、
前記カバーは、前記オーガの一端部の少なくとも一部を覆うことを特徴とする請求項１１に記載のトナーカートリッジ。
【請求項１３】
前記カバーは、前記カバーの外表面に位置する複数のギア歯であって、前記オーガの回転方向に沿って並ぶ複数のギア歯を有することを特徴とする請求項１１または請求項１２に記載のトナーカートリッジ。
【請求項１４】
前記オーガは、前記第１方向における一端部と、前記一端部と前記第１方向に離れた他端部とを有し、
前記トナーカートリッジは、さらに、
前記オーガの他端部に装着されたオーガギアであって、前記オーガと共に回転可能なオーガギアを備え、
前記第２突起は、前記オーガギアよりも、前記第１方向において前記第１開口から離れて位置することを特徴とする請求項１から請求項１３のいずれか一項に記載のトナーカートリッジ。
【請求項１５】
前記トナーカートリッジは、さらに、前記オーガギアの少なくとも一部を覆うギアカバーを備え、
前記第２突起は、前記ギアカバーから前記第１方向に延びることを特徴とする請求項１４に記載のトナーカートリッジ。
【請求項１６】
前記第２トナー収容部は、前記第２トナー収容部の前記第１方向における他端部に位置する第１貫通穴であって、前記第１方向に前記第２トナー収容部を貫通する第１貫通穴を有し、
前記第１方向におけるオーガの他端部は、前記第１貫通穴に挿入され、
前記オーガギアは、前記第２トナー収容部の外表面に位置することを特徴とする請求項１４または請求項１５のいずれか一項に記載のトナーカートリッジ。
【請求項１７】
前記第１開口は、前記第１方向において、前記第１トナー収容部よりも一方側に位置することを特徴とする請求項１から請求項１６のいずれか一項に記載のトナーカートリッジ。
【請求項１８】
前記アジテータは、前記第１軸に沿って延びるアジテータシャフトと、前記アジテータシャフトとともに回転可能な羽根であって、前記第１内部空間内に位置する羽根とを備え、
前記第１開口は、前記第１方向において、前記アジテータの前記羽根よりも一方側に位置することを特徴とする請求項１から請求項１７のいずれか一項に記載のトナーカートリッジ。
【請求項１９】
前記第１突起および前記第２突起は、トナーカートリッジが現像器に装着されるときに、前記現像器に対して位置決めされ、
前記トナーカートリッジは、前記現像器に装着された後、前記筐体が前記第１突起と前記第２突起とを中心に前記現像器に対してピボットすることにより、前記現像器に取り付けられることを特徴とする請求項１から請求項１８のいずれか一項に記載のトナーカートリッジ。
【発明の詳細な説明】
【技術分野】
【０００１】
本開示は、トナーカートリッジに関する。
【背景技術】
【０００２】
従来、画像形成装置に対して着脱可能なトナーカートリッジが知られている。トナーカートリッジは、トナーを収容する。
【０００３】
例えば、特許文献１に記載されるトナーカートリッジは、トナーを収容するための筐体と、トナーを排出するための開口と、トナーを開口に向かって搬送するアジテータと、を有する。トナーカートリッジは、さらに、アジテータの回転軸の軸方向においてトナーカートリッジの一方側面から突出する第１突起と、アジテータの回転軸線方向においてトナーカートリッジの他方側面から突出する第２突起と、を有する。トナーカートリッジは、現像器に取り付けられるときに、第１突起と第２突起が現像器の溝に嵌ることによって、装着動作に合せて現像器に対して位置決めされる。その後、トナーカートリッジは、第１突起と第２突起を中心としてピボットする。開口は、第１突起と第２突起との間における中央に位置する。アジテータは、第１突起と第２突起との間に位置し、アジテータの回転軸の軸方向と交差する方向において、トナーを搬送する。
【先行技術文献】
【特許文献】
【０００４】
【特許文献１】特開２０１１−１３３６７号公報
【発明の概要】
【発明が解決しようとする課題】
【０００５】
一方で、特許文献１に記載されるトナーカートリッジでは、アジテータによって搬送されたトナーを、アジテータの回転軸の軸方向に搬送したい場合がある。
【０００６】
しかしながら、特許文献１には、アジテータの回転軸の軸方向にトナーを搬送するための構成（例えば、オーガ）を有するトナーカートリッジについて開示されておらず、また、そのようなトナーカートリッジを、装着動作に合せて現像器または画像形成装置に位置決めするための構成についても、開示されていない。
【０００７】
そこで、本開示の目的は、アジテータによって搬送されたトナーをアジテータの回転軸の軸方向に搬送しつつ、装着動作に合せて現像器または画像形成装置に対して位置決めすることができるトナーカートリッジを提供することにある。
【課題を解決するための手段】
【０００８】
（１）本開示のトナーカートリッジは、筐体と、アジテータと、オーガと、第１突起と、第２突起とを備える。
【０００９】
筐体は、第１方向に延びる。筐体は、第１トナー収容部と、第２トナー収容部とを備える。第１トナー収容部は、第１方向に延びる第１内部空間を含む。第２トナー収容部は、第１方向に延びる第２内部空間を含む。第２内空間は、第１内部空間と接続される。第２トナー収容部は、第２方向において、第１トナー収容部の一方側に位置する。第２トナー収容部は、第１開口を有する。第１開口は、第１方向において第２トナー収容部の一方側に位置する。第１開口は、第２内空間内のトナーが排出されることを許容する。
【００１０】
アジテータは、第１方向に延びる第１軸について回転可能である。アジテータは、第１内部空間内のトナーを撹拌する。アジテータは、第１内部空間から第２内部空間へトナーを搬送する。
【００１１】
オーガは、第１方向に延びる第２軸について回転可能である。オーガは、第２内空間から第１開口へトナーを搬送する。
【００１２】
第１突起は、第１方向において第２トナー収容部の一方側、かつ、第１開口の一方側に位置する。第１突起は、第１方向に延びる。
【００１３】
第２突起は、第１方向において第２トナー収容部の他方側に位置する。第２突起は、第１方向に延びる。
【００１４】
このような構成によれば、第２トナー収容部は、第２方向において、第１トナー収容部の一方側に位置する。これにより、第１方向におけるトナーカートリッジの小型化を図りながら、第２方向において、第１トナー収容部および第２トナー収容部により、十分なトナー容量を確保できる。
【００１５】
また、トナーカートリッジを現像器または画像形成装置に取り付けたときには、第１突起および第２突起により、トナーカートリッジを現像器または画像形成装置に対して位置決めすることができる。これにより、装着動作に合わせて、トナーカートリッジを現像器または画像形成装置に対して位置決めすることができ、現像器または画像形成装置に対して第１開口を正確に位置決めすることができる。
【００１６】
そして、トナーカートリッジは、現像器または画像形成装置に取り付けられた後、アジテータによって、第１トナー収容部内のトナーを第２トナー収容部に搬送し、オーガによって、第２トナー収容部内のトナーを第１開口に搬送する。
【００１７】
これにより、アジテータによって搬送されたトナーを、オーガによってアジテータの回転軸の軸方向に搬送でき、アジテータおよびオーガによって、第１トナー収容部から第１開口まで円滑にトナーを搬送することができる。また、オーガによってトナーを搬送することにより、第１開口から排出されるトナーの量を調整することができる。なお、第１開口は、第１方向において第２トナー収容部の一方側に位置するので、第１方向に延びるオーガを設けるという簡易な構成で、第１開口へトナーを搬送できる。これにより、部品点数の低減を図りながら、第１開口へトナーを搬送できる。
【００１８】
総括すると、第１方向において第２トナー収容部の一方側に第１突起が位置し、第１方向において第２トナー収容部の他方側に第２突起が位置し、第１突起と第２突起との間にいて、オーガによって第１開口へトナーを搬送することにより、部品点数の低減を図りながら、現像器または画像形成装置に対して正確に位置決めされた第１開口へ円滑にトナーを搬送することができ、第１開口から排出されるトナーの量を調整することができる。
（２）第１突起は、第１軸と第２軸とを結ぶことにより定義される第２方向に延びてもよい。第２突起は、第２方向に延びてもよい。
（３）第１方向および第２方向と交差する第３方向における第２突起の幅は、第３方向における第１突起の幅と異なってもよい。
（４）オーガは、第１方向における一端部と、一端部と第１方向に離れた他端部とを有してもよい。第１方向におけるオーガの一端部の周面の一部は、第１開口を介して露出されてもよい。
（５）トナーカートリッジは、さらに、シャッタを備えてもよい。シャッタは、第１開口を閉じる閉状態と、第１開口を開ける開状態とを有する。シャッタは、第１方向における第２トナー収容部の一端部に位置する。シャッタは、第１突起を備える。
（６）第１突起は、シャッタから第１方向に延びてもよい。
（７）シャッタは、第１方向に延びる第３軸について、回転可能であってもよい。シャッタは、閉位置から開位置へ回転可能であってもよい。シャッタが閉位置に位置する場合、シャッタは第１開口を閉じる。シャッタが開位置に位置する場合、シャッタは第１開口を開ける。
（８）第１突起は、シャッタと共に回転可能であってもよい。
（９）シャッタは、第２開口を有してもよい。シャッタが開位置に位置する場合、第２開口の少なくとも一部と、第１開口の少なくとも一部が重なる。
（１０）シャッタが開位置に位置する場合、オーガの一端部は、第１開口を介して露出されてもよい。
（１１）筐体は、さらに、カバーを備えてもよい。カバーは、第２トナー収容部の一端部を覆う。カバーは、第１開口を有する。
（１２）第２トナー収容部は、第３開口を有してもよい。第３開口は、第２トナー収容部の一端部に位置する。オーガの一端部は、第３開口を介して、第２トナー収容部から露出されてもよい。カバーは、オーガの一端部の少なくとも一部を覆ってもよい。
（１３）カバーは、複数のギア歯を有してもよい。複数のギア歯は、カバーの外表面に位置する。複数のギア歯は、オーガの回転方向に沿って並ぶ。
（１４）オーガは、第１方向における一端部と、一端部と前記第１方向に離れた他端部とを有してもよい。トナーカートリッジは、さらに、オーガギアを備えてもよい。オーガギアは、オーガの他端部に装着される。オーガギアは、オーガと共に回転可能である。第２突起は、オーガギアよりも、第１方向において第１開口から離れて位置してもよい。
（１５）トナーカートリッジは、さらに、ギアカバーを備えてもよい。ギアカバーは、オーガギアの少なくとも一部を覆う。第２突起は、ギアカバーから第１方向に延びてもよい。
（１６）第２トナー収容部は、第１貫通穴を有してもよい。第１貫通穴は、第２トナー収容部の第１方向における他端部に位置する。第１貫通穴は、第１方向に第２トナー収容部を貫通する。第１方向におけるオーガの他端部は、第１貫通穴に挿入されてもよい。オーガギアは、第２トナー収容部の外表面に位置してもよい。
（１７）第１開口は、第１方向において、第１トナー収容部よりも一方側に位置してもよい。
（１８）アジテータは、第１軸に沿って延びるアジテータシャフトと、アジテータシャフトとともに回転可能な羽根であって、第１内部空間内に位置する羽根とを備えてもよい。第１開口は、第１方向において、アジテータの羽根よりも一方側に位置してもよい。
（１９）第１突起および第２突起は、トナーカートリッジが現像器に装着されるときに、現像器に対して位置決めされてもよい。トナーカートリッジは、現像器に装着された後、筐体が第１突起と第２突起とを中心に現像器に対してピボットすることにより、現像器に取り付けられてもよい。
【発明の効果】
【００１９】
本発明のトナーカートリッジは、アジテータによって搬送されたトナーをアジテータの回転軸の軸方向に搬送しつつ、装着動作に合せて現像器または画像形成装置に対して位置決めすることができる。
【図面の簡単な説明】
【００２０】
【図１】図１は、トナーカートリッジ１の斜視図である。
【図２】図２は、トナーカートリッジ１の中央断面図である。
【図３】図３は、図１のＡ−Ａ断面図である。
【図４】図４は、トナーカートリッジ１の一端部を分解した斜視図である。
【図５】図５は、トナーカートリッジ１の他端部を分解した斜視図である。
【図６】図６Ａは、第２方向と交差する方向から見たトナーカートリッジ１の側面図であって、シャッタ１３が閉位置に位置する状態を示す。
【００２１】
図６Ｂは、第２方向と交差する方向から見たトナーカートリッジ１の側面図であって、シャッタ１３が開位置に位置する状態を示す。
【図７】図７は、図６ＡのＡ−Ａ断面図である。
【図８】図８は、図６ＡのＢ−Ｂ断面図である。
【図９】図９は、現像器３１に対するトナーカートリッジ１の装着方向から見た現像器３１の側面図である。
【図１０】図１０は、図９に示す現像器３１のＡ−Ａ断面図であって、第１方向において溝３４に向かう方向に見た断面図である。
【図１１】図１１は、図９に示す現像器３１のＢ−Ｂ断面図であって、第１方向において溝３５に向かう方向に見た断面図である。
【図１２】図１２は、現像器３１に対するトナーカートリッジ１の装着を説明する説明図であって、トナーカートリッジ１が現像器３１に装着される前の状態を示す。
【図１３】図１３は、図１２とともに現像器３１に対するトナーカートリッジ１の装着を説明する説明図であって、トナーカートリッジ１が現像器３１に装着され、筐体２が第１位置に位置した状態を示す。
【図１４】図１４は、図１３に示すときの第２突起６と溝３５との係合を説明する説明図である。
【図１５】図１５は、図１３に示す現像器３１およびトナーカートリッジ１の断面図であって、ロック部材１８を通る断面図であり、ロック部材１８が解除位置に位置した状態を示す断面図である。
【図１６】図１６は、図１５と同様に、図１３に示す現像器３１およびトナーカートリッジ１の断面図であって、シャッタ１３の第２開口１３Ｄを通る断面図であり、筐体２が第１位置に位置し、シャッタ１３が閉位置に位置し、現像シャッタ５１が閉位置に位置した状態を示す断面図である。
【図１７】図１７は、図１５および図１６と同様に、図１３に示す現像器３１およびトナーカートリッジ１の断面図であって、ロック部材５２Ａを通る断面図であり、筐体２が第１位置に位置し、トナーカートリッジ１の突起２６Ａがロック部材５２Ａの突起５８に接触した状態を示す断面図である。
【図１８】図１８は、図１５から図１７と同様に、図１３に示す現像器３１およびトナーカートリッジ１の断面図であって、現像シャッタ５１のギア部５４Ａを通る断面図であり、筐体２が第１位置に位置し、現像シャッタ５１の突起５３Ａが、トナーカートリッジ１の突起２５Ａとギア部２４Ａとの間に位置した状態を示す断面図である。
【図１９】図１９は、筐体２が現像器３１に対して第１位置から第２位置へ向かってピボットした場合における現像器３１およびトナーカートリッジ１の断面図であって、シャッタ１３の第２開口１３Ｄを通る断面図であり、トナーカートリッジ１の突起２６Ａがロック部材５２Ａの突起５８に接触している状態を示す断面図である。
【図２０】図２０は、図１９に示す現像器３１およびトナーカートリッジ１の断面図であって、現像シャッタ５１のギア部５４Ａを通る断面図であり、現像シャッタ５１の突起５３Ａにトナーカートリッジ１のギア部２４Ａが接触した状態を示す断面図である。
【図２１】図２１は、筐体２が現像器３１に対して第１位置から第２位置へ向かってさらにピボットした場合における現像器３１およびトナーカートリッジ１の断面図であって、ロック部材５２Ａを通る断面図であり、トナーカートリッジ１の突起２６Ａがロック部材５２Ａの突起５８から離れた状態を示す断面図である。
【図２２】図２２は、図２１に示す現像器３１およびトナーカートリッジ１の断面図であって、現像シャッタ５１のギア部５４Ａを通る断面図であり、ロック部材５２Ａの突起５９が現像シャッタ５１の突起５７に接触し、トナーカートリッジ１のギア部２４Ａが現像シャッタ５１のギア部２４Ａに噛み合った状態を示す断面図である。
【図２３】図２３は、図２１に示す現像器３１およびトナーカートリッジ１の側面図である。
【図２４】図２４は、筐体２が第２位置に位置した場合における現像器３１およびトナーカートリッジ１の側面図である。
【図２５】図２５は、図２４に示すときの第２突起６と溝３５との係合を説明する説明図である。
【図２６】図２６は、図２４に示す現像器３１およびトナーカートリッジ１の断面図であって、現像シャッタ５１のギア部５４Ａを通る断面図であり、ロック部材５２Ａの突起５９が現像シャッタ５１の凹部５６に位置する状態を示す断面図である。
【図２７】図２７は、図２４に示す現像器３１およびトナーカートリッジ１の断面図であって、シャッタ１３の第２開口１３Ｄを通る断面図であり、シャッタ１３が開位置に位置し、現像シャッタ５１が開位置に位置した状態を示す断面図である。
【発明を実施するための形態】
【００２２】
１．トナーカートリッジ１の概略
トナーカートリッジ１の概略について、説明する。
【００２３】
図１に示すトナーカートリッジ１は、トナーを収容するカートリッジである。後で詳しく説明するが、トナーカートリッジ１は、図１２および図１３に示すように、後述する現像器３１に装着される。その後、トナーカートリッジ１は、現像器３１に対して、図１３に示す状態から図２４に示す状態へピボットすることにより、現像器３１に取り付けられる。トナーカートリッジ１は、現像器３１に取り付けられた状態で、現像器３１に対してトナーを供給可能である。なお、トナーカートリッジ１がピボットするとは、トナーカートリッジ１自体がその一端部に有する軸について、トナーカートリッジ１が回動することをいう。トナーカートリッジ１自体が有する軸とは、具体的には、後述する第２軸Ａ２である。
【００２４】
図１から図３に示すように、トナーカートリッジ１は、筐体２と、アジテータ３と、オーガ４と、第１突起５と、第２突起６とを備える。
【００２５】
１．１  筐体２
筐体２は、第１方向に延びる。筐体２は、第１トナー収容部２Ａと、第２トナー収容部２Ｂとを備える。第２トナー収容部２Ｂは、第２方向において、第１トナー収容部２Ａの一方側に位置する。第２方向は、後述する第１軸Ａ１と、後述する第２軸Ａ２とを結ぶことにより定義される。第１トナー収容部２Ａは、第１方向に延びる。第１トナー収容部２Ａは、円筒形状を有する。第１トナー収容部２Ａは、第１方向に延びる第１内部空間２Ｄを含む。第１内部空間２Ｄは、トナーを収容可能である。第２トナー収容部２Ｂは、第１方向に延びる。第２トナー収容部２Ｂは、円筒形状を有する。第２トナー収容部２Ｂの外径は、第１トナー収容部２Ａの外径よりも小さい。第２トナー収容部２Ｂは、第１方向に延びる第２内部空間２Ｅを含む。第１内部空間２Ｄと第２内部空間２Ｅとは、第２方向において並ぶ。第２内部空間２Ｅは、第１内部空間２Ｄと接続される。第２内部空間２Ｅの内容積は、第１内部空間２Ｄの内容積よりも小さい。なお、第１トナー収容部２Ａと第２トナー収容部２Ｂとは、一体的に構成されてもよい。また、第１トナー収容部２Ａと第２トナー収容部２Ｂとは、別体で構成され、互いに組み付けられてもよい。
【００２６】
また、筐体２は、第１開口２Ｃを有する。第１開口２Ｃは、第１方向において、第２トナー収容部２Ｂの一方側に位置する。また、第１開口２Ｃは、第１方向において、第１トナー収容部２Ａよりも一方側に位置する。すなわち、第１開口２Ｃは、第１方向において、アジテータ３よりも一方側に位置する。後で詳しく説明するが、第１開口２Ｃは、第２内部空間２Ｅ内のトナーが排出されることを許容する。第１開口２Ｃが第１方向において、第１トナー収容部２Ａおよびアジテータ３よりも一方側に位置することにより、アジテータ３によって第１内部空間２Ｄから第２内部空間２Ｅへ搬送されたトナーが直接、第１開口２Ｃから排出されることがなく、第２内部空間２Ｅのトナーをオーガ４だけで搬送することができ、第２内部空間２Ｅのトナーを第１開口２Ｃへ定量的に搬送し、第１開口２Ｃから排出できる。
【００２７】
トナーカートリッジ１が後述する現像器３１に装着された状態で、筐体２は、後述する現像器３１に対して、第１位置（図１３参照）と、第２位置（図２４参照）との間を、ピボット可能である。
【００２８】
１．２  アジテータ３
アジテータ３は、第１内部空間２Ｄ内に位置する。アジテータ３は、第１内部空間２Ｄ内のトナーを撹拌し、第１内部空間２Ｄから第２内部空間２Ｅへトナーを搬送可能である。アジテータ３は、第１方向に延びる第１軸Ａ１について回転可能である。アジテータ３は、アジテータシャフト３Ａと、羽根３Ｂとを備える。アジテータシャフト３Ａは、第１軸Ａ１に沿って延びる。羽根３Ｂは、アジテータシャフト３Ａから、第１トナー収容部２Ａの径方向に延びる。羽根３Ｂは、アジテータシャフト３Ａとともに回転可能である。羽根３Ｂは、第１内部空間２Ｄ内に位置する。羽根３Ｂは、アジテータシャフト３Ａに接続する基端と、アジテータシャフト３Ａから最も離れた先端とを有する。羽根３Ｂの先端は、第１トナー収容部２Ａの内面に接触する。羽根３Ｂの先端は、第１トナー収容部２Ａの内面に接触することにより、アジテータ３の回転方向における上流側へ湾曲する。羽根３Ｂが回転することにより、アジテータ３は、第１内部空間２Ｄ内のトナーを撹拌し、第１内部空間２Ｄから第２内部空間２Ｅへトナーを搬送可能である。
【００２９】
１．３  オーガ４
オーガ４は、第２内部空間２Ｅ内に位置する。後で詳しく説明するが、オーガ４は、第２内部空間２Ｅから第１開口２Ｃへトナーを搬送するように構成される。オーガ４は、第１方向に延びる。オーガ４は、第１方向に延びる第２軸Ａ２について回転可能である。詳しくは、オーガ４は、シャフト４Ａと、螺旋部分４Ｂとを備える。シャフト４Ａは、第１軸Ａ１に沿って延びる。螺旋部分４Ｂは、シャフト４Ａから、第１トナー収容部２Ａの径方向に突出する。螺旋部分４Ｂは、第１方向に延びる螺旋形状を有する。
【００３０】
１．４  第１突起５および第２突起６
第１突起５は、第１方向において、トナーカートリッジ１の一端部に位置する。第１突起５は、第１方向において、第１開口２Ｃに対して、第２トナー収容部２Ｂの反対側に位置する。言い換えると、第１突起５は、第１方向において、第２トナー収容部２Ｂの一方側、かつ、第１開口２Ｃの一方側に位置する。第１突起５は、第１方向に延びる。また、第１突起５は、第２方向に延びる。後で詳しく説明するが、第１突起５は、後述するシャッタ１３に設けられる突起１４と、後述する第２カバー１５に設けられる突起１６とから構成される。なお、突起１４は、後述するシャッタ１３に設けられる突起１４、および、後述する第２カバー１５に設けられる突起１６の少なくとも１つから構成されていればよい。具体的には、突起１４は、後述するシャッタ１３に設けられる突起１４から構成されてもよい。この場合、トナーカートリッジ１は、第２カバー１５を備えなくてもよい。また、突起１４は、後述する第２カバー１５に設けられる突起１６から構成されてもよい。この場合、トナーカートリッジ１は、シャッタ１３を備えなくてもよい。
【００３１】
第２突起６は、第１方向において、トナーカートリッジ１の他端部に位置する。第２突起６は、第１方向において、第２トナー収容部２Ｂに対して、第１突起５の反対側に位置する。すなわち、第２突起６は、第１方向における第２トナー収容部２Ｂの他端部に位置する。第２突起６は、第１方向に延びる。また、第２突起６は、第２方向に延びる。
【００３２】
２．トナーカートリッジ１の詳細
図３から図８を参照して、トナーカートリッジ１の詳細について、説明する。
【００３３】
２．１  第２トナー収容部２Ｂ
図３および図４に示すように、第２トナー収容部２Ｂは、第３開口１１を有する。第３開口１１は、第２トナー収容部２Ｂの一端部に位置する。第２トナー収容部２Ｂの一端部は、第１方向において、第１トナー収容部２Ａの一端部よりも突出している。すなわち、第２トナー収容部２Ｂは、第１方向における長さが第１方向における第１トナー収容部２Ａの長さよりも長い。これにより、第１内部空間２Ｄは、第１方向における長さが第１方向における第２内部空間２Ｅの長さよりも短い。第２トナー収容部２Ｂの一端部は、円筒形状を有する。第３開口１１は、第２トナー収容部２Ｂの一端部を、第１方向に貫通する。第３開口１１は、第２内部空間２Ｅに接続する。これにより、第３開口１１は、第２内部空間２Ｅ内のトナーが排出されることを許容する。また、第３開口１１には、オーガ４が挿通されている。オーガ４は、第１方向における一端部４Ｃと、一端部４Ｃと第１方向に離れた他端部４Ｄとを有している。オーガ４の一端部４Ｃは、第１方向において、第３開口１１から突出する。すなわち、オーガ４の一端部４Ｃは、第３開口１１を介して、第２トナー収容部２Ｂから露出される。これにより、オーガ４は、第２内部空間２Ｅから第３開口１１へトナーを搬送できる。
【００３４】
２．２  カバー１２
図３および図４に示すように、筐体２は、さらに、カバー１２を備える。
【００３５】
カバー１２は、第２トナー収容部２Ｂの一端部に位置する。詳しくは、カバー１２は、第２トナー収容部２Ｂの一端部に取り付けられる。これにより、カバー１２は、筐体２とともに移動可能である。カバー１２は、第２トナー収容部２Ｂの一端部を覆う。カバー１２は、第３開口１１を覆う。カバー１２は、オーガ４の一端部４Ｃを覆う。詳しくは、カバー１２は、オーガ４の一端部４Ｃの周面を覆う。カバー１２は、オーガ４の一端部４Ｃの周面に沿って延びる。具体的には、カバー１２は、円筒形状を有する。カバー１２は、第１方向に延びる。カバー１２は、上記した第１開口２Ｃを有する。
【００３６】
第１開口２Ｃは、第１方向において、第２トナー収容部２Ｂから離れて位置する。詳しくは、第１開口２Ｃは、第１方向において、第３開口１１から離れて位置する。第１開口２Ｃは、カバー１２の周面を貫通する。これにより、第１開口２Ｃは、カバー１２を介して、トナーが排出されることを許容する。第１開口２Ｃの面積は、第３開口１１の面積よりも小さい。なお、オーガ４は、第１方向において、第１開口２Ｃまで延びている。これにより、オーガ４は、第２内部空間２Ｅから第１開口２Ｃへトナーを搬送可能である。
【００３７】
２．３  シャッタ１３
図３および図４に示すように、トナーカートリッジ１は、さらに、シャッタ１３を備える。
【００３８】
シャッタ１３は、第１方向における第２トナー収容部２Ｂの一端部に位置する。詳しくは、シャッタ１３は、カバー１２と、第２トナー収容部２Ｂの一端部とに挿入される。これにより、シャッタ１３は、第２トナー収容部２Ｂの一端部に取り付けられる。シャッタ１３は、閉位置（図６Ａ参照）から開位置（図６Ｂ参照）へ回転可能である。シャッタ１３が閉位置に位置する場合、シャッタ１３は、第１開口２Ｃを閉じる。シャッタ１３が開位置に位置する場合、シャッタ１３は、第１開口２Ｃを開ける。すなわち、シャッタ１３は、第１開口２Ｃを閉じる閉状態（図６Ａ参照）と、第１開口２Ｃを開ける開状態（図６Ｂ参照）とを有する。
【００３９】
さらに詳しくは、シャッタ１３は、第１方向に延びる。シャッタ１３は、一端部と、他端部とを有する。他端部は、第１方向において、一端部よりも、第２トナー収容部２Ｂから離れている。シャッタ１３は、挿入部１３Ａと、カバー部１３Ｂとを備える。挿入部１３Ａは、シャッタ１３の一端部に位置する。挿入部１３Ａは、第３開口１１に挿入される。挿入部１３Ａは、開口１３Ｃを有する。開口１３Ｃは、挿入部１３Ａを第１方向に貫通する。これにより、開口１３Ｃは、第２内部空間２Ｅ内のトナーがシャッタ１３の内部空間に入ることを許容する。カバー部１３Ｂは、第１方向において、挿入部１３Ａと並ぶ。カバー部１３Ｂは、第１方向において、挿入部１３Ａと、後述する突起１４との間に位置する。カバー部１３Ｂは、第１方向において、第３開口１１から突出する。カバー部１３Ｂは、オーガ４の一端部４Ｃの周面を覆う。カバー部１３Ｂは、オーガ４の一端部４Ｃの周面に沿って延びる。また、カバー部１３Ｂは、カバー１２の内面に沿って延びる。言い換えると、カバー１２は、カバー部１３Ｂの周面に沿って延び、カバー部１３Ｂの周面を覆う。具体的には、カバー部１３Ｂは、円筒形状を有する。カバー部１３Ｂは、第１方向に延びる。カバー部１３Ｂは、第２開口１３Ｄ（図６Ｂ参照）を有する。すなわち、シャッタ１３は、第２開口１３Ｄを有する。第２開口１３Ｄは、カバー部１３Ｂの周面を貫通する。シャッタ１３が開位置に位置する場合、第２開口１３Ｄの少なくとも一部と、第１開口２Ｃの少なくとも一部とが重なる。これにより、第２開口１３Ｄは、第１開口２Ｃを介してシャッタ１３の内部空間内のトナーが排出されることを許容する。また、シャッタ１３が開位置に位置する場合、第２開口１３Ｄの少なくとも一部と、第１開口２Ｃの少なくとも一部とが重なることにより、オーガ４の一端部４Ｃは、第１開口２Ｃを介して露出される。すなわち、第１方向におけるオーガ４の一端部４Ｃの周面の一部は、第１開口２Ｃを介して露出される。なお、第２開口１３Ｄの周りには、シールＳ（図１６参照）が設けられる。シールＳは、カバー１２の内面とカバー部１３Ｂとの間に位置する。これにより、シールＳは、カバー１２の内面とカバー部１３Ｂとの間にトナーが入ることを防ぐ。
【００４０】
また、図４に示すように、シャッタ１３は、突起１４を備える。
【００４１】
突起１４は、第１方向における第２トナー収容部２Ｂの一端部から、カバー１２よりも遠くにある。突起１４は、第１方向において、カバー部１３Ｂに対して、挿入部１３Ａの反対側に位置する。突起１４は、トナーカートリッジ１が後述する現像器３１（図９参照）に装着されたときに、現像器３１に対して位置決めされる。突起１４は、第１方向に延びる。突起１４は、シャッタ１３から第１方向に延びる。具体的には、突起１４は、カバー部１３Ｂから延びる。これにより、突起１４は、シャッタ１３とともに、筐体２およびカバー１２に対して回転可能である。突起１４は、第１方向において、基端部と、先端部とを有する。基端部は、カバー部１３Ｂに接続する。先端部は、第１方向において、基端部に対してカバー部１３Ｂの反対側に位置する。詳しくは、突起１４は、軸部１４Ａと、平板部１４Ｂと、ボス１４Ｃとを備える。軸部１４Ａは、突起１４の基端部に位置する。軸部１４Ａは、カバー部１３Ｂから第１方向に延び、平板部１４Ｂと接続する。平板部１４Ｂは、第１方向において、軸部１４Ａに対して、カバー部１３Ｂの反対側に位置する。平板部１４Ｂは、シャッタ１３が閉位置に位置するときに、第２方向に延びる。すなわち、突起１４は、シャッタ１３が閉位置に位置する場合、第２方向に延びる。第２方向における平板部１４Ｂの長さは、第２方向における軸部１４Ａの長さよりも長い。ボス１４Ｃは、突起１４の先端部に位置する。ボス１４Ｃは、第１方向において、平板部１４Ｂに対して、軸部１４Ａの反対側に位置する。ボス１４Ｃは、平板部１４Ｂから第１方向に延びる。ボス１４Ｃは、第３軸Ａ３に沿って延びる。なお、第３軸Ａ３は、第２軸Ａ２と一致してもよい。なお、ボス１４Ｃは、円筒形状である。
【００４２】
２．４  第２カバー１５
図４に示すように、トナーカートリッジ１は、第２カバー１５を備える。
【００４３】
第２カバー１５は、第１方向に延びる。第２カバー１５は、一端部と、他端部とを有する。他端部は、第１方向において、一端部よりも筐体２から離れている。第２カバー１５の一端部は、第１トナー収容部２Ａに取り付けられる。これにより、第２カバー１５は、筐体２およびカバー１２とともに、シャッタ１３に対して移動可能である。第２カバー１５は、突起１６を備える。
【００４４】
突起１６は、第２カバー１５の他端部に位置する。突起１６は、第１方向において、第２カバー１５の他端部から突出する。突起１６は、第２方向に延びる。突起１６は、第４開口１７を有する。第４開口１７は、第１方向および第２方向と交差する方向において、突起１６を貫通する。突起１６は、第１フレーム１６Ａと、第２フレーム１６Ｂと、第３フレーム１６Ｃとを備える。第１フレーム１６Ａは、第２方向において、第２フレーム１６Ｂから離れている。第１フレーム１６Ａと第２フレーム１６Ｂとの間には、第４開口１７が位置する。第３フレーム１６Ｃは、第１方向において、第４開口１７に対して、筐体２の反対側に位置する。第３フレーム１６Ｃは、第２方向に延びる。第３フレーム１６Ｃは、第１フレーム１６Ａおよび第２フレーム１６Ｂと接続する。第３フレーム１６Ｃは、貫通穴１６Ｄを有する。貫通穴１６Ｄは、第３フレーム１６Ｃを第１方向に貫通する。
【００４５】
そして、図１および図４に示すように、突起１６内には、突起１４が挿入される。すると、第１フレーム１６Ａと第２フレーム１６Ｂとの間には、突起１４の平板部１４Ｂが位置する。第４開口１７は、突起１４の平板部１４Ｂを露出する。これにより、シャッタ１３が閉位置に位置する場合に、第１フレーム１６Ａおよび第２フレーム１６Ｂは、平板部１４Ｂの縁を覆う。また、第３フレーム１６Ｃは、第１方向において、平板部１４Ｂに向かい合う。これにより、第３フレーム１６Ｃは、第１方向において、突起１４の先端部の少なくとも一部を覆う。すなわち、第２カバー１５は、突起１４の先端部の少なくとも一部を覆う。また、突起１４のボス１４Ｃは、貫通穴１６Ｄに挿入される。これにより、第２カバー１５は、突起１４の先端部を回転可能に支持する。これにより、シャッタ１３は、第１方向に延びる第３軸Ａ３について、回転可能である。
【００４６】
また、図７に示すように、第２カバー１５は、ロック部材１８と、ストッパ１９とを備える。
【００４７】
ロック部材１８は、ロック位置（図７参照）と、解除位置（図１５参照）との間を移動可能である。詳しくは、ロック部材１８は、ロック位置と、解除位置との間をピボット可能である。ロック部材１８は、ばね１８Ｃにより、ロック位置へ向かって押圧される。
【００４８】
ロック部材１８は、シャフト１８Ａと、突起１８Ｂとを備える。シャフト１８Ａは、第２カバー１５に回転可能に支持される。これにより、ロック部材１８は、第２カバー１５に対してピボット可能である。突起１８Ｂは、シャフト１８Ａから、突起１４に向かって延びる。突起１８Ｂは、ロック部材１８がロック位置に位置するときに、平板部１４Ｂの一端部に向かい合う。平板部１４Ｂの一端部は、シャッタ１３が閉位置に位置しているときに、第２方向において、第１フレーム１６Ａ（図１参照）に向かい合う端部である。突起１８Ｂは、突起１４の一端部に接触する。これにより、ロック部材１８は、ロック位置に位置するときに、突起１４を第２カバー１５へロックできる。なお、突起１４を第２カバー１５へロックするとは、突起１４が第２カバー１５に対して回転することを止めることである。ロック部材１８は、トナーカートリッジ１が後述する現像器３１から取り外されている状態で、突起１４を第２カバー１５へロックすることにより、シャッタ１３が閉位置から開位置へ移動することを止める。また、突起１８Ｂは、ロック部材１８が解除位置に位置するときに、平板部１４Ｂの一端部に接触できない。これにより、ロック部材１８は、解除位置に位置するときに、第２カバー１５への突起１４のロックを解除する。
【００４９】
ばね１８Ｃは、コイルばねである。詳しくは、ばね１８Ｃは、一端部と、一端部から離れた他端部と、一端部と他端部との間に位置するコイル部とを備える。ばね１８Ｃの一端部は、第２カバー１５に接触する。ばね１８Ｃの他端部は、ロック部材１８の突起１８Ｂに接触する。これにより、ばね１８Ｃは、ロック部材１８をロック位置へ向かって押圧する。
【００５０】
ストッパ１９は、第２フレーム１６Ｂの内面に位置する。ストッパ１９は、第２フレーム１６Ｂの内面から第１フレーム１６Ａに向かって突出する。ストッパ１９は、シャッタ１３が閉位置に位置するときに、平板部１４Ｂの他端部に向かい合う。平板部１４Ｂの他端部は、シャッタ１３が閉位置に位置しているときに、第２方向において、第２フレーム１６Ｂに向かい合う端部である。平板部１４Ｂの他端部は、係合部１４Ｄを有する。係合部１４Ｄは、シャッタ１３が閉位置に位置しているときに、平板部１４Ｂの他端部から第２方向に突出する。ストッパ１９は、係合部１４Ｄと向かい合う。ストッパ１９は、係合部１４Ｄに接触する。これにより、ストッパ１９は、シャッタ１３が閉位置に位置する場合に、シャッタ１３が閉位置から開位置へ回転するときの突起１４の回転方向とは反対方向に、突起１４が回転することを止める。シャッタ１３が閉位置に位置する場合に、突起１４が反対方向に回転すると、突起１４の係合部１４Ｄは、ストッパ１９と接触する。
【００５１】
２．５  ギア列およびギアカバー２１
図３および図５に示すように、トナーカートリッジ１は、オーガギア２３、アジテータギア２２、アイドルギア６１およびギアカバー２１を備える。
【００５２】
２．５．１  オーガギア２３
オーガギア２３は、オーガ４の他端部４Ｄに装着される。オーガギア２３は、第２軸Ａ２についてオーガ４とともに回転可能である。詳しくは、第２トナー収容部２Ｂは、第１貫通穴２０Ａを有する。第１貫通穴２０Ａは、第２トナー収容部２Ｂの第１方向における他端部に位置する。第１貫通穴２０Ａは、第１方向に第２トナー収容部２Ｂを貫通する。第１方向におけるオーガ４の他端部４Ｄは、第１貫通穴２０Ａに挿入される。これにより、オーガ４の他端部４Ｄは、第１方向において、筐体２を貫通する。オーガギア２３は、第２トナー収容部２Ｂの外表面に位置する。
【００５３】
２．５．２  アジテータギア２２
アジテータギア２２は、アジテータ３に装着される。アジテータギア２２は、第１軸Ａ１についてアジテータ３とともに回転可能である。詳しくは、アジテータシャフト３Ａは、第１端部３Ｃと、第１方向において第１端部３Ｃから離れた第２端部３Ｄとを有する。第１トナー収容部２Ａは、第２貫通穴２０Ｂを有する。第２貫通穴２０Ｂは、第１トナー収容部２Ａの第１方向における他端部に位置する。第２貫通穴２０Ｂは、第１方向に第１トナー収容部２Ａを貫通する。第２端部３Ｄは、第２貫通穴２０Ｂに挿入される。これにより、第２端部３Ｄは、第１方向において、筐体２を貫通する。アジテータギア２２は、第２端部３Ｄに取り付けられる。アジテータギア２２は、第１トナー収容部２Ａの外表面に位置する。アジテータギア２２は、オーガギア２３と間隔を隔てている。アジテータギア２２の径は、オーガギア２３の径よりも大きい。また、アジテータギア２２の径は、アイドルギア６１の径よりも大きい。これにより、アジテータ３は、オーガ４に対して遅い周速で回転できる。
【００５４】
２．５．３  アイドルギア６１
アイドルギア６１は、アジテータギア２２とオーガギア２３との間に位置する。アイドルギア６１は、オーガギア２３に噛み合い、かつ、アジテータギア２２に噛み合う。これにより、オーガギア２３は、アイドルギア６１を介して、アジテータギア２２に駆動力を伝えることができる。詳しくは、アイドルギア６１は、オーガギア２３の一端部に噛み合う。なお、オーガギア２３の他端部は、ギアカバー２１の後述する開口２１Ａを介して、ギアカバー２１から露出される。つまり、アイドルギア６１は、オーガギア２３の一端部に対して、オーガギア２３の他端部の反対側に位置する。なお、オーガギア２３の他端部は、トナーカートリッジ１が現像器３１に装着され、筐体２が現像器３１に対して第２位置に位置したときに、後述する現像器３１のギア３０に噛み合う。つまり、トナーカートリッジ１が現像器３１に装着され、筐体２が現像器３１に対して第２位置に位置したときに、アイドルギア６１は、オーガギア２３の他端部の反対側に位置する。これにより、アイドルギア６１は、現像器３１のギア３０からオーガギア２３の他端部に加わるトルクを、オーガギア２３の他端部の反対側で、安定して受けることができる。アイドルギア６１は、筐体２のボス６２について回転可能である。ボス６２は、アジテータギア２２とオーガギア２３との間に位置する。ボス６２は、オーガギア２３の一端部に対して、オーガギア２３の他端部の反対側に位置する。ボス６２は、第１トナー収容部２Ａの外表面から第１方向に突出する。すなわち、ボス６２は、筐体２から第１方向に延びる。ボス６２は、円柱形状を有する。アイドルギア６１は、ボス６２が挿入される貫通穴６１Ａを有する。貫通穴６１Ａにボス６２が挿入されることにより、アイドルギア６１は、ボス６２について回転可能である。なお、ボス６２は、貫通穴６１Ａを介してアイドルギア６１を貫通していてもよく、アイドルギア６１を貫通していなくてもよい。
【００５５】
また、ボス６２は、先端部と基端部とを有する。基端部は、筐体２に接続する端部である。詳しくは、基端部は、第１トナー収容部２Ａの外表面に接続する。先端部は、第１方向において、基端部に対して筐体２の反対側に位置する端部である。ボス６２は、先端部に穴６２Ａを有する。穴６２Ａは、先端部から基端部に向かって凹む。
【００５６】
２．５．４  ギアカバー２１
ギアカバー２１は、第１方向において、筐体２に対して、カバー１２の反対側に位置する。ギアカバー２１は、アジテータギア２２、アイドルギア６１およびオーガギア２３の一端部を覆う。すなわち、ギアカバー２１は、オーガギア２３の少なくとも一部を覆う。ギアカバー２１は、開口２１Ａと、貫通穴２１Ｂとを有する。開口２１Ａは、オーガギア２３の他端部を露出する。開口２１Ａは、第２突起６と第２トナー収容部２Ｂとの間に位置する。開口２１Ａは、第３方向において、ギアカバー２１を貫通する。貫通穴２１Ｂは、第１方向において、ボス６２と向かい合う位置に位置する。貫通穴２１Ｂは、第２突起６に対して、開口２１Ａの反対側に位置する。貫通穴２１Ｂは、第１方向において、ギアカバー２１を貫通する。貫通穴２１Ｂには、ボス６２の先端部が挿入される。これにより、貫通穴２１Ｂは、ボス６２の先端部を露出する。また、貫通穴２１Ｂにボス６２が挿入されることにより、ギアカバー２１をボス６２に対して固定でき、ギアカバー２１を筐体２に対して安定に固定できる。
【００５７】
また、トナーカートリッジ１は、ネジ６３を備える。ネジ６３は、第１方向に延びる軸部６３Ａと、軸部６３Ａの一端部に位置する頭部６３Ｂとを有する。軸部６３Ａの径は、貫通穴２１Ｂよりも小さい。頭部６３Ｂの径は、貫通穴２１Ｂよりも大きい。軸部６３Ａは、貫通穴２１Ｂを介してボス６２の穴６２Ａに挿入される。このとき、頭部６３Ｂは、貫通穴２１Ｂの縁に向かい合う。これにより、ネジ６３は、ボス６２に対してギアカバー２１を固定する。
【００５８】
２．５．５  第２突起６
また、ギアカバー２１は、上記した第２突起６を備える。
【００５９】
第２突起６は、第１方向において、オーガギア２３に対して、第２トナー収容部２Ｂの反対側に位置する。第２突起６は、オーガギア２３よりも、第１方向において第１開口２Ｃから離れて位置する。第２突起６は、ギアカバー２１から第１方向に延びる。
【００６０】
また、図８に示すように、第１方向および第２方向と交差する第３方向における第２突起６の幅Ｌ１は、第３方向における第１突起５の幅Ｌ２と異なる。なお、第３方向における突起１４の幅と、第３方向における突起１６の幅とは、同じである。詳しくは、第１方向および第２方向と交差する第３方向における第２突起６の幅Ｌ１は、第３方向における第１突起５の幅Ｌ２よりも広い。これにより、第１突起５の幅Ｌ１に合う後述する溝３４に、第２突起６は、嵌まらない。これにより、ユーザが、トナーカートリッジ１を第１方向において逆にした状態で、現像器３１に装着しようとした場合、トナーカートリッジ１を現像器３１に装着することができない。なお、第１方向および第２方向と交差する第３方向における第２突起６の幅Ｌ１は、第３方向における第１突起５の幅Ｌ２よりも狭くてもよい。
【００６１】
２．６  ギア部および突起
また、トナーカートリッジ１は、図１および図４に示すように、ギア部２４Ａ、ギア部２４Ｂ、突起２５Ａ、突起２５Ｂ、突起２６Ａおよび突起２６Ｂを備える。ギア部２４Ａ、ギア部２４Ｂ、突起２５Ａ、突起２５Ｂ、突起２６Ａおよび突起２６Ｂは、後述する現像器３１の現像シャッタ５１を動かすための構成である。
【００６２】
カバー１２は、ギア部２４Ａおよびギア部２４Ｂを、さらに備える。ギア部２４Ａは、第１方向において、ギア部２４Ｂから離れている。ギア部２４Ａとギア部２４Ｂとの間には、第１開口２Ｃが位置する。ギア部２４Ａおよびギア部２４Ｂは、それぞれ、複数のギア歯を有する。すなわち、カバー１２は、複数のギア歯を有する。ギア部２４Ａの複数のギア歯、および、ギア部２４Ｂの複数のギア歯は、カバー１２の外表面に位置する。詳しくは、ギア部２４Ａの複数のギア歯、および、ギア部２４Ｂの複数のギア歯は、シャッタ１３に対するカバー１２の回転方向に沿って、カバー１２の周面に位置する。ギア部２４Ａの複数のギア歯、および、ギア部２４Ｂの複数のギア歯は、シャッタ１３に対するカバー１２の回転方向に並ぶ。また、ギア部２４Ａの複数のギア歯、および、ギア部２４Ｂの複数のギア歯は、オーガ４の回転方向に沿って並ぶ。
【００６３】
また、カバー１２は、突起２５Ａおよび突起２５Ｂを、さらに備える。突起２５Ａは、第１方向において、突起２５Ｂから離れている。突起２５Ａは、シャッタ１３に対するカバー１２の回転方向において、ギア部２４Ａの複数のギア歯と並ぶ。突起２５Ａは、筐体２が現像器３１に対して第２位置（図２４参照）から第１位置（図１３参照）へ回転する場合におけるカバー１２の回転方向Ｒにおいて、ギア部２４Ａの複数のギア歯よりも上流側に位置する。突起２５Ａは、カバー１２の回転方向Ｒにおいて、ギア部２４Ａの複数のギア歯の間隔よりも長い間隔を隔てて、ギア部２４Ａの複数のギア歯と並ぶ。具体的には、カバー１２の回転方向Ｒにおける第２突起２５Ａとギア部２４Ａとの間隔は、ギア部２４Ａの複数のギア歯のピッチである。突起２５Ｂは、筐体２が現像器３１に対して第２位置から第１位置へ回転する場合におけるカバー１２の回転方向Ｒにおいて、ギア部２４Ｂの複数のギア歯よりも上流側に位置する。突起２５Ｂは、カバー１２の回転方向Ｒにおいて、ギア部２４Ｂの複数のギア歯の間隔よりも長い間隔を隔てて、ギア部２４Ｂの複数のギア歯と並ぶ。具体的には、カバー１２の回転方向Ｒにおける第２突起２５Ｂとギア部２４Ｂとの間隔は、ギア部２４Ｂの複数のギア歯のピッチである。突起２５Ａおよび突起２５Ｂは、第２方向において、第２トナー収容部２Ｂに対して第１トナー収容部２Ａの反対側へ突出する。
【００６４】
突起２６Ａは、第１方向において、突起２５Ａに対して、第１開口２Ｃの反対側に位置する。突起２６Ｂは、第１方向において、突起２５Ｂに対して、第１開口２Ｃの反対側に位置する。突起２６Ａは、第２トナー収容部２Ｂの一端部に位置する。突起２６Ｂは、第２カバー１５の他端部に位置する。突起２６Ａおよび突起２６Ｂは、第２方向において、第２トナー収容部２Ｂに対して第１トナー収容部２Ａの反対側へ突出する。
【００６５】
３．現像器３１の詳細
図９から図１１に示す現像器３１は、トナーカートリッジ１からトナーを供給されるための構成である。例えば、現像器３１は、トナーカートリッジ１から供給されたトナーを用いて、現像するための構成である。本実施形態では、現像器３１は、現像ローラ３２を備える。また、現像器３１は、感光体を備えてもよい。現像器３１は、画像形成装置に対して着脱可能なカートリッジタイプであってもよい。現像ローラ３２は、第１方向に延びる。現像ローラ３２は、感光体に接触可能である。また、現像器３１は、トナー収容部３３を備える。トナー収容部３３は、トナーを収容可能である。
【００６６】
現像器３１は、溝３４、溝３５および現像開口３６を有する。
【００６７】
溝３４は、第１方向において、現像器３１の一端部に位置する。溝３５は、第１方向において、現像器３１の他端部に位置する。溝３５は、第１方向において、溝３４と離れている。以下、溝３４および溝３５の詳細について説明する。
【００６８】
３．１  溝３４
図１０および図１３に示すように、溝３４は、トナーカートリッジ１が現像器３１に装着される装着方向、具体的には、図１２に矢印で示す方向に延びる。溝３４は、装着方向において、一端部と、他端部とを有する。一端部は、装着方向において、他端部よりも現像開口３６から離れている。また、溝３４は、装着方向と交差する方向において、トナーカートリッジ１（図１参照）の第１突起５を受け入れ可能な幅を有する。詳しくは、また、溝３４は、装着方向と交差する方向において、トナーカートリッジ１（図１参照）の第１突起５と同じ幅を有する。溝３４は、平面３８Ａ、平面３８Ｂ、凹部３９Ａ、凹部３９Ｂ、突起４１Ａおよび突起４１Ｂを備える。
【００６９】
３．１．１  平面３８Ａおよび平面３８Ｂ
平面３８Ａは、溝３４の一端部に位置する。平面３８Ｂは、溝３４の他端部に位置する。平面３８Ａおよび平面３８Ｂは、それぞれ、装着方向に延びる。平面３８Ａは、トナーカートリッジ１が現像器３１に装着されたときに、突起１６の第１フレーム１６Ａ（図１参照）と向かい合う。平面３８Ｂは、トナーカートリッジ１が現像器３１に装着されたときに、突起１６の第２フレーム１６Ｂ（図１参照）と向かい合う。平面３８Ａおよび平面３８Ｂは、筐体２が現像器３１に対して第２位置（図２４参照）から第１位置（図１３参照）にピボットしたときに、平面３８Ａおよび平面３８Ｂの少なくとも一方が突起１６と接触することにより、筐体２を第１位置に止める。
【００７０】
３．１．２  凹部３９Ａおよび凹部３９Ｂ
図１０、図１３、図２３および図２４に示すように、凹部３９Ａは、溝３４の幅方向において、平面３８Ａから離れる方向へ凹む。凹部３９Ｂは、溝３４の幅方向において、平面３８Ｂから離れる方向へ凹む。凹部３９Ａは、円弧面４２Ａと、平面４０Ａを有する。凹部３９Ｂは、円弧面４２Ｂと、平面４０Ｂを有する。円弧面４２Ａは、平面３８Ａに対して、筐体２が現像器３１に対して第１位置から第２位置へピボットするときに第１フレーム１６Ａが移動する方向へ延びる。円弧面４２Ｂは、平面３８Ｂに対して、筐体２が現像器３１に対して第１位置から第２位置へピボットするときに第２フレーム１６Ｂが移動する方向に延びる。平面４０Ａは、筐体２が現像器３１に対して第１位置から第２位置へピボットするときに第１フレーム１６Ａが移動する方向において、円弧面４２Ａの下流側の端部に位置する。平面４０Ｂは、筐体２が現像器３１に対して第１位置から第２位置へピボットするときに第２フレーム１６Ｂが移動する方向において、円弧面４２Ｂの下流側の端部に位置する。平面４０Ａおよび平面４０Ｂは、装着方向と交差する方向に延びる。詳しくは、平面４０Ａおよび平面４０Ｂは、装着方向と直交する方向に延びる。平面４０Ａおよび平面４０Ｂは、筐体２が現像器３１に対して第２位置から第１位置にピボットしたときに、平面４０Ａおよび平面４０Ｂの少なくとも一方が突起１６と接触することにより、筐体２を第２位置に止める。
【００７１】
３．１．３  突起４１Ａおよび突起４１Ｂ
突起４１Ａおよび突起４１Ｂは、溝３４の幅方向において、円弧面４２Ａと円弧面４２Ｂとの間に位置する。突起４１Ａは、溝３４の幅方向において、円弧面４２Ａと突起４１Ｂとの間に位置する。突起４１Ｂは、溝３４の幅方向において、円弧面４２Ｂと突起４１Ａとの間に位置する。突起４１Ｂは、溝３４の幅方向において、突起４１Ａから離れている。突起４１Ａおよび突起４１Ｂは、それぞれ、装着方向に延びる。トナーカートリッジ１が現像器３１に装着されたときに、突起４１Ａと突起４１Ｂとの間には、平板部１４Ｂ（図１５参照）が位置する。トナーカートリッジ１が現像器３１に装着されたときに、突起４１Ａおよび突起４１Ｂは、平板部１４Ｂに接触する。これにより、トナーカートリッジ１が現像器３１に装着されたときに、突起４１Ａおよび突起４１Ｂは、突起１４が回ることを止める。これにより、シャッタ１３は、現像器３１に対して固定される。
【００７２】
一方、突起４１Ａおよび突起４１Ｂは、トナーカートリッジ１が現像器３１に装着されたときに、溝３４の幅方向において、第１フレーム１６Ａ、第２フレーム１６Ｂおよび第３フレーム１６Ｃ（図１参照）と接触しない。これにより、トナーカートリッジ１が現像器３１に装着されたときに、第１フレーム１６Ａ、第２フレーム１６Ｂおよび第３フレーム１６Ｃは、シャッタ１３が現像器３１に対して固定された状態で、シャッタ１３に対して回転可能である。これにより、筐体２は、シャッタ１３が現像器３１に対して固定された状態で、カバー１２および第２カバー１５とともに、現像器３１に対してピボット可能である。筐体２が、カバー１２および第２カバー１５とともに、現像器３１に対して、第１位置（図１３参照）から第２位置（図２４参照）へピボットすることにより、シャッタ１３は、筐体２に対して、開位置に位置する。シャッタ１３が開位置（図２７参照）に位置することにより、第２開口１３Ｄの少なくとも一部と第１開口２Ｃの少なくとも一部とが重なり、第１開口２Ｃが開く。
【００７３】
なお、突起４１Ａは、円弧面４２Ａの径方向において、円弧面４２Ａと離れている。突起４１Ａと円弧面４２Ａとの間隔は、装着方向における第１フレーム１６Ａ（図１参照）の長さよりも長い。これにより、第１フレーム１６Ａは、筐体２が現像器３１に対してピボットするときに、突起４１Ａと円弧面４２Ａとの間を通ることができる。また、突起４１Ｂは、円弧面４２Ｂの径方向において、円弧面４２Ｂと離れている。突起４１Ｂと円弧面４２Ｂとの間隔は、装着方向における第２フレーム１６Ｂ（図１参照）の長さよりも長い。これにより、第２フレーム１６Ｂは、筐体２が現像器３１に対してピボットするときに、突起４１Ｂと円弧面４２Ｂとの間を通ることができる。
【００７４】
３．２  溝３５
図１１に示すように、溝３５は、装着方向に延びる。溝３５は、装着方向において、一端部と、他端部とを有する。一端部は、装着方向において、他端部よりもトナー収容部３３から離れている。また、溝３５は、装着方向と交差する方向において、トナーカートリッジ１の第２突起６（図１参照）を受け入れ可能な幅を有する。詳しくは、溝３５は、装着方向と交差する方向において、トナーカートリッジ１の第２突起６と同じ幅を有する。溝３５は、平面４３Ａ、平面４３Ｂ、凹部４４Ａおよび凹部４４Ｂを備える。
【００７５】
３．２．１  平面４３Ａおよび平面４３Ｂ
平面４３Ａは、溝３５の一端部に位置する。平面４３Ｂは、溝３５の他端部に位置する。平面４３Ａおよび平面４３Ｂは、それぞれ、装着方向に延びる。平面４３Ａは、トナーカートリッジ１が現像器３１に装着されたときに、第２突起６の一端部と向かい合う。平面４３Ｂは、トナーカートリッジ１が現像器３１に装着されたときに、第２突起６の他端部と向かい合う。平面４３Ａおよび平面４３Ｂは、筐体２が現像器３１に対して第２位置から第１位置にピボットしたときに、平面４３Ａおよび平面４３Ｂの少なくとも一方が第２突起６と接触することにより、筐体２を第１位置に止める。
【００７６】
３．２．２  凹部４４Ａおよび凹部４４Ｂ
凹部４４Ａは、溝３５の幅方向において、平面４３Ａから離れる方向へ凹む。凹部４４Ｂは、溝３５の幅方向において、平面４３Ｂから離れる方向へ凹む。凹部４４Ａは、円弧面４６Ａと、平面４５Ａを有する。凹部４４Ｂは、円弧面４６Ｂと、平面４５Ｂを有する。円弧面４６Ａは、平面４３Ａに対して、筐体２が現像器３１に対して第１位置から第２位置へピボットするときに第２突起６の一端部が移動する方向へ延びる。円弧面４６Ｂは、平面４５Ｂに対して、筐体２が現像器３１に対して第１位置から第２位置へピボットするときに第２突起６の他端部が移動する方向に延びる。平面４５Ａは、筐体２が現像器３１に対して第１位置から第２位置へピボットするときに第２突起６の一端部が移動する方向において、円弧面４６Ａの下流側の端部に位置する。平面４５Ｂは、筐体２が現像器３１に対して第１位置から第２位置へピボットするときに第２突起６の他端部が移動する方向において、円弧面４６Ｂの下流側の端部に位置する。平面４５Ａおよび平面４５Ｂは、装着方向と交差する方向に延びる。詳しくは、平面４５Ａおよび平面４５Ｂは、装着方向と直交する方向に延びる。平面４５Ａおよび平面４５Ｂは、筐体２が現像器３１に対して第１位置から第２位置にピボットしたときに、平面４５Ａおよび平面４５Ｂのいずれか一方が第２突起６と接触することにより、筐体２を第２位置に止める。
【００７７】
３．３  現像開口３６
現像開口３６は、図９に示すように、第１方向において、溝３４と溝３５との間に位置する。現像開口３６は、第１方向において、現像器３１の中央よりも溝３４の近くに位置する。図１０に示すように、現像開口３６は、装着方向において、トナー収容部３３の外表面を貫通する。現像開口３６は、装着方向において、トナー収容部３３の外表面に露出する一端３６Ａと、トナー収容部３３の内部空間に接続する他端３６Ｂとを有する。
【００７８】
３．４  現像シャッタ５１
また、現像器３１は、図９および図１０に示すように、現像シャッタ５１を備える。
【００７９】
現像シャッタ５１は、装着方向において、現像開口３６の一端３６Ａと他端３６Ｂとの間に位置する。現像シャッタ５１は、装着方向において、一方面５１Ｂと、他方面５１Ｃとを有する。一方面５１Ｂは、装着方向において、現像開口３６の他端３６Ｂよりも一端３６Ａの近くに位置する。他方面５１Ｃは、装着方向において、一方面５１Ｂよりも、現像開口３６の他端３６Ｂの近くに位置する。現像シャッタ５１は、現像開口３６を閉じる閉位置（図１６参照）と、現像開口３６を開ける開位置（図２７参照）との間を移動可能である。現像シャッタ５１は、開口５１Ａを有する。開口５１Ａは、装着方向において、現像シャッタ５１を貫通する。図２７に示すように、現像シャッタ５１が開位置に位置するときに、開口５１Ａは、現像開口３６の少なくとも一部と重なる。これにより、開口５１Ａは、現像シャッタ５１が開位置に位置するときに、現像開口３６および開口５１Ａを介して、トナーカートリッジ１のトナーがトナー収容部３３へ入ることを許容する。
【００８０】
また、現像シャッタ５１は、図９および図１８に示すように、突起５３Ａ、突起５３Ｂ、ギア部５４Ａおよびギア部５４Ｂを備える。
【００８１】
突起５３Ａは、トナーカートリッジ１が現像器３１に装着されている場合に、筐体２が現像器３１に対して第１位置から第２位置にピボットするときに、ギア部２４Ａ（図１９参照）と接触する構成である。また、突起５３Ｂは、トナーカートリッジ１が現像器３１に装着されている場合に、筐体２が現像器３１に対して第１位置から第２位置にピボットするときに、ギア部２４Ｂ（図１参照）と接触する構成である。筐体２が現像器３１に対して第１位置から第２位置にピボットするときに、ギア部２４Ａの複数のギア歯の１つ目のギア歯が突起５３Ａを押圧し、かつ、ギア部２４Ｂの複数のギア歯の１つ目のギア歯が突起５３Ｂを押圧することにより、現像シャッタ５１が、閉位置から開位置へ向かって移動を始める。その後、ギア部２４Ａの複数のギア歯の残りのギア歯が、ギア部５４Ａと噛み合い、ギア部２４Ｂの複数のギア歯の残りのギア歯が、ギア部５４Ｂと噛み合う。また、突起５３Ａは、筐体２が現像器３１に対して第２位置から第１位置にピボットするときに、突起２５Ａ（図１８参照）と接触する構成である。また、突起５３Ｂは、筐体２が現像器３１に対して第２位置から第１位置にピボットするときに、突起２５Ｂ（図１参照）と接触する構成である。筐体２が現像器３１に対して第２位置から第１位置にピボットするときに、ギア部２４Ａがギア部５４Ａから離れ、かつ、ギア部２４Ｂがギア部５４Ｂから離れた後、突起２５Ａが突起５３Ａを押圧し、かつ、突起２５Ｂが突起５３Ｂを押圧することにより、現像シャッタ５１が、閉位置に位置する。また、ギア部５４Ａは、トナーカートリッジ１が現像器３１に装着されている場合に、トナーカートリッジ１のギア部２４Ａ（図２２参照）と噛み合うための構成である。また、ギア部５４Ｂは、トナーカートリッジ１が現像器３１に装着されている場合に、トナーカートリッジ１のギア部２４Ｂ（図１参照）と噛み合うための構成である。
【００８２】
突起５３Ａは、第１方向において、現像開口３６に対して、溝３４の反対側に位置する。突起５３Ｂは、第１方向において、現像開口３６と溝３４との間に位置する。突起５３Ａおよび突起５３Ｂは、現像シャッタ５１の一方面５１Ｂに位置する。突起５３Ａおよび突起５３Ｂは、現像シャッタ５１の一方面５１Ｂから突出する。突起５３Ａおよび突起５３Ｂは、現像シャッタ５１が閉位置に位置するときに、トナー収容部３３の外表面に露出されている。
【００８３】
ギア部５４Ａは、現像シャッタ５１が閉位置から開位置へ移動するときの現像シャッタ５１の移動方向Ｍにおいて、突起５３Ａの上流側に位置する。ギア部５４Ａは、現像シャッタ５１の移動方向Ｍにおいて、突起５３Ａから離れて位置する。ギア部５４Ｂは、現像シャッタ５１が閉位置から開位置へ移動するときの現像シャッタ５１の移動方向Ｍにおいて、突起５３Ｂの上流側に位置する。ギア部５４Ｂは、現像シャッタ５１の移動方向Ｍにおいて、突起５３Ｂから離れて位置する。ギア部５４Ａおよびギア部５４Ｂは、それぞれ、複数のギア歯を有する。複数のギア歯は、現像シャッタ５１の移動方向Ｍに並ぶ。
【００８４】
また、図１８、図２０、図２２および図２６に示すように、現像シャッタ５１は、凹部５５、凹部５６および突起５７を備える。凹部５５は、トナーカートリッジ１が現像器３１から取り外された状態で、現像シャッタ５１が閉位置に位置するときに、後述する突起５９を受け入れるための構成である。突起５７は、トナーカートリッジ１が現像器３１から取り外された状態で、閉位置に位置する現像シャッタ５１が開位置に移動しようとした場合に、凹部５５に嵌まった突起５９に接触し、閉位置に位置する現像シャッタ５１が開位置に移動することを止めるための構成である。凹部５６は、トナーカートリッジ１が現像器３１に取り付けられた状態で、現像シャッタ５１が開位置に位置するときに、突起５９を受け入れるための構成である。凹部５５、凹部５６および突起５７は、現像シャッタ５１の他方面５１Ｃに位置する。凹部５６は、現像シャッタ５１が閉位置から開位置へ移動するときの現像シャッタ５１の移動方向Ｍにおいて、凹部５５の上流側に位置する。突起５７は、現像シャッタ５１の移動方向Ｍにおいて、凹部５５と凹部５６との間に位置する。凹部５５は、現像シャッタ５１の他方面５１Ｃから一方面５１Ｂへ向かって凹む。凹部５６は、現像シャッタ５１の他方面５１Ｃから一方面５１Ｂへ向かって凹む。突起５７は、一方面５１Ｂから他方面５１Ｃへ向かう方向へ突出する。突起５７は、傾斜面５７Ａを有する。傾斜面５７Ａは、凹部５５から凹部５６へ向かうにつれて、現像シャッタ５１の一方面５１Ｂへ向かって傾斜する。
【００８５】
３．５  ロック部材
また、現像器３１は、図９に示すように、ロック部材５２Ａおよびロック部材５２Ｂを備える。
【００８６】
ロック部材５２Ａおよびロック部材５２Ｂは、トナーカートリッジ１が現像器３１から取り外されている場合に、現像シャッタ５１を閉位置にロックするための構成である。現像シャッタ５１を閉位置にロックするとは、現像シャッタ５１が閉位置から開位置へ向かって移動することを止めることである。ロック部材５２Ａは、トナーカートリッジ１が現像器３１から取り外されており、現像シャッタ５１が閉位置に位置する場合に、第１方向における現像シャッタ５１の一端部に係合する。また、ロック部材５２Ｂは、トナーカートリッジ１が現像器３１から取り外されており、現像シャッタ５１が閉位置に位置する場合に、第１方向における現像シャッタ５１の他端部に係合する。現像シャッタ５１の他端部は、第１方向において、現像シャッタ５１の一端部よりも溝３４の近くに位置する。
【００８７】
ロック部材５２Ａは、第１方向において、現像シャッタ５１に対して、溝３４の反対側に位置する。ロック部材５２Ｂは、第１方向において、現像シャッタ５１と溝３４との間に位置する。ロック部材５２Ｂは、第１方向において、ロック部材５２Ａから離れている。第１方向において、ロック部材５２Ａとロック部材５２Ｂとの間には、現像シャッタ５１が位置する。ロック部材５２Ａおよびロック部材５２Ｂは、トナー収容部３３の外表面に露出されている。ロック部材５２Ａおよびロック部材５２Ｂは、それぞれ、現像シャッタ５１の移動方向に延びる。
【００８８】
図１７、図１９および図２１に示すように、ロック部材５２Ａおよびロック部材５２Ｂは、それぞれ、基端Ｅ１と、現像シャッタ５１の移動方向Ｍにおいて基端Ｅ１から離れた先端Ｅ２とを備える。先端Ｅ２は、現像シャッタ５１が閉位置から開位置へ移動するときの現像シャッタ５１の移動方向Ｍにおいて、基端Ｅ１よりも上流側に位置する。ロック部材５２Ａの基端Ｅ１、および、ロック部材５２Ｂの基端Ｅ１は、それぞれ、現像器３１に固定されている。ロック部材５２Ａおよびロック部材５２Ｂは、それぞれ、装着方向において、トナー収容部３３から離れている。これにより、ロック部材５２Ａおよびロック部材５２Ｂは、それぞれ、装着方向に湾曲可能である。ロック部材５２Ａおよびロック部材５２Ｂは、それぞれ、突起５８と突起５９（図１８参照）とを備える。
【００８９】
ロック部材５２Ａの突起５８は、装着方向において、トナー収容部３３から離れる方向へ向かって、ロック部材５２Ａから突出する。ロック部材５２Ｂの突起５８（図９参照）は、装着方向において、トナー収容部３３から離れる方向へ向かって、ロック部材５２Ｂから突出する。ロック部材５２Ａの突起５８は、トナーカートリッジ１が現像器３１に装着されたときに、突起２６Ａと接触する。ロック部材５２Ｂの突起５８は、トナーカートリッジ１が現像器３１に装着されたときに、突起２６Ｂ（図１参照）と接触する。
【００９０】
図１８、図２０、図２２および図２６に示すように、ロック部材５２Ａの突起５９は、ロック部材５２Ａの先端Ｅ２に位置する。ロック部材５２Ｂの突起５９は、ロック部材５２Ｂの先端Ｅ２に位置する。突起５９は、第１方向に延びる。なお、突起５９は、トナーカートリッジ１が現像器３１から取り外された状態で、現像シャッタ５１が閉位置に位置するときに、現像シャッタ５１の凹部５５に嵌まる。これにより、突起５９が凹部５５に嵌まった状態で、現像シャッタ５１が閉位置から開位置へ移動すると、突起５９は、現像シャッタ５１の突起５７に接触し、現像シャッタ５１の移動を止める。
【００９１】
４．現像器３１に対するトナーカートリッジ１の着脱
以下、図１２から図２７を参照して、現像器３１にトナーカートリッジ１を取り付ける動作、および、現像器３１からトナーカートリッジ１を取り外す動作について説明する。
【００９２】
４．１  現像器３１にトナーカートリッジ１を取り付ける動作
現像器３１にトナーカートリッジ１が取り付けられる場合、図１２、図１３および図１４に示すように、第１突起５が溝３４に嵌まり、さらに、第２突起６が溝３５に嵌まることで、現像器３１にトナーカートリッジ１が装着される。なお、第１突起５は、溝３４に嵌まることにより、現像器３１に対して位置決めされる。また、第２突起６は、溝３５に嵌まることにより、現像器３１に対して位置決めされる。なお、このとき、図１に示すように、筐体２は、シャッタ１３に対して、第１位置に位置する。シャッタ１３は、カバー１２に対して閉位置に位置し、第１開口２Ｃを閉じている。すなわち、筐体２が第１位置にある場合に、シャッタ１３は、第１開口２Ｃを閉じる。
【００９３】
すると、トナーカートリッジ１は、図１３および図１４に示すように、現像器３１に装着される。第１突起５は、溝３４に嵌まる。また、第２突起６は、溝３５に嵌まる。このとき、図１５に示すように、突起１４は、突起４１Ａと突起４１Ｂとの間に位置決めされる。すなわち、トナーカートリッジ１が現像器３１に装着されたとき、突起１４は、現像器３１に対して位置決めされる。
【００９４】
また、このとき、突起４１Ｂが、ロック部材１８の突起１８Ｂに接触することにより、ばね１８Ｃの押圧力に抗して、ロック部材１８は、ロック位置から解除位置へ移動する。すなわち、トナーカートリッジ１が現像器３１に装着される場合に、ロック部材１８は、現像器３１の一部に接触し、ロック部材１８は、ロック位置から解除位置へ移動する。これにより、トナーカートリッジ１が現像器３１に装着されたとき、ロック部材１８は、突起１４のロックを解除する。すなわち、ロック部材１８がロック位置から解除位置へ移動することで、突起１４は、第２カバー１５に対して回転可能となる。言い換えると、ロック部材１８がロック位置から解除位置へ移動することで、第２カバー１５は、突起１４に対して回転可能となる。これにより、筐体２は、シャッタ１３に対して、カバー１２および第２カバー１５とともに回転可能となる。
【００９５】
また、このとき、図１６に示すように、現像シャッタ５１は、閉位置に位置する。また、このとき、図１７に示すように、トナーカートリッジ１の突起２６Ａは、ロック部材５２Ａの突起５８に接触する。これにより、ロック部材５２Ａは、先端Ｅ２が現像シャッタ５１から離れるように湾曲する。これにより、図１８に示すように、ロック部材５２Ａの突起５９は、現像シャッタ５１の凹部５５から外れる。また、このとき、現像シャッタ５１の突起５３Ａは、トナーカートリッジ１の突起２５Ａとギア部２４Ａとの間に位置している。
【００９６】
次いで、ユーザは、筐体２を、現像器３１に対して、第１位置から第２位置へ向かってピボットさせる。
【００９７】
すると、筐体２は、第１突起と第２突起とを中心に、現像器３１に対して第１位置から第２位置へ向かってピボットし、図１９および図２０に示すように、トナーカートリッジ１の突起２６Ａがロック部材５２Ａの突起５８に接触した状態で、ギア部２４Ａが突起５３Ａを押圧する。これにより、突起５９が凹部５５から外れた状態で、現像シャッタ５１が閉位置から開位置へ向かって移動する。
【００９８】
次いで、筐体２が現像器３１に対してさらに第１位置から第２位置へ向かってピボットすると、現像シャッタ５１がさらに閉位置から開位置へ向かって移動し、突起５７が、突起５９に対してトナー収容部３３の反対側を通過する。
【００９９】
そして、図２１に示すように、トナーカートリッジ１の突起２６Ａがロック部材５２Ａの突起５８から離間する。これにより、ロック部材５２Ａが、湾曲した状態から復元し、ロック部材５２Ａの先端Ｅ２は、現像シャッタ５１に近づく。すると、図２２に示すように、突起５９は、突起５７の傾斜面５７Ａに接触する。また、ギア部２４Ａの複数のギア歯は、ギア部５４Ａの複数のギア歯と噛み合う。すなわち、トナーカートリッジ１が現像器３１に対してピボット可能である場合に、複数のギア歯の少なくとも１つは、現像器３１に設けられる現像開口３６を開閉するための現像シャッタ５１と係合する。また、このとき、図２３に示すように、突起１６の第１フレーム１６Ａは、溝３４の凹部３９Ａ内に位置し、突起１６の第２フレーム１６Ｂは、溝３４の凹部３９Ｂ内に位置する。
【０１００】
次いで、図２４および図２５に示すように、突起１６の第１フレーム１６Ａおよび第２フレーム１６Ｂの少なくとも一方が、溝３４の平面４０Ａまたは平面４０Ｂに接触し、第２突起６の一端部および他端部の少なくとも一方が、溝３５の平面４５Ａまたは平面４５Ｂに接触すると、筐体２がシャッタ１３に対して第２位置に位置する。このとき、図２６に示すように、現像シャッタ５１が開位置に位置し、突起５９は、凹部５６内に位置する。また、図２７に示すように、シャッタ１３が筐体２に対して開位置に位置し、第２開口１３Ｄの少なくとも一部は、第１開口２Ｃの少なくとも一部と重なる。これにより、第２開口１３Ｄは、第１開口２Ｃを介してトナーが排出されることを許容する。
【０１０１】
これにより、現像器３１に対するトナーカートリッジ１の取り付けが完了する。
【０１０２】
４．２  現像器３１からトナーカートリッジ１を取り外す動作
現像器３１からトナーカートリッジ１を取り外す場合、ユーザは、筐体２を、現像器３１に対して、図２４および図２５に示す第２位置から、図１３および図１４に示す第１位置へ向かってピボットさせる。
【０１０３】
すると、図２２に示すように、現像シャッタ５１は、トナーカートリッジ１のギア部２４Ａとギア部５４Ａとが噛み合い、トナーカートリッジ１のギア部２４Ｂとギア部５４Ｂとが噛み合うことにより、開位置から閉位置へ向かって移動する。
【０１０４】
このとき、突起５９は、突起５７の傾斜面５７Ａに沿って、装着方向において、現像シャッタ５１から離れる方向へ移動する。
【０１０５】
次いで、筐体２がさらに第１位置に近づくと、図１９に示すように、トナーカートリッジ１の突起２６Ａがロック部材５２Ａの突起５８に接触する。また、このとき、図２０に示すように、トナーカートリッジ１のギア部２４Ａが、ギア部５４Ａから離れる。また、トナーカートリッジ１のギア部２４Ｂが、ギア部５４Ｂから離れる。これにより、現像シャッタ５１の移動が、一旦、停止する。
【０１０６】
次いで、筐体２がさらに第１位置に近づくと、トナーカートリッジ１の突起２５Ａが、現像シャッタ５１の突起５３Ａに接触する。また、トナーカートリッジ１の突起２５Ｂが、現像シャッタ５１の突起５３Ｂに接触する。トナーカートリッジ１の突起２５Ａによって現像シャッタ５１の突起５３Ａが押圧され、トナーカートリッジ１の突起２５Ｂによって現像シャッタ５１の突起５３Ｂが押圧されることにより、現像シャッタ５１は、再度、閉位置に向かって移動する。
【０１０７】
そして、図１３および図１４に示すように、突起１６の第１フレーム１６Ａおよび第２フレーム１６Ｂの少なくとも一方が、溝３４の平面３８Ａまたは平面３８Ｂに接触し、第２突起６の一端部および他端部の少なくとも一方が、溝３５の平面４３Ａまたは平面４３Ｂに接触すると、筐体２が第１位置に位置する。このとき、図１８に示すように、現像シャッタ５１が閉位置に位置する。また、このとき、図１６に示すように、シャッタ１３は、カバー１２に対して閉位置に位置し、第１開口２Ｃを閉じる。
【０１０８】
次いで、ユーザは、図１２に示すように、現像器３１からトナーカートリッジ１を第２方向に引き抜く。
【０１０９】
これにより、現像器３１からのトナーカートリッジ１の取り外しが完了する。
【０１１０】
５．トナーカートリッジから現像器へのトナーの搬送
トナーカートリッジ１が現像器３１に装着され、かつ、筐体２が第２位置に位置しているときには、トナーカートリッジ１のオーガギア２３（図１参照）は、現像器３１のギア３０（図９参照）に噛み合う。
【０１１１】
そして、画像形成装置が画像形成動作を実行すると、現像器３１のギア３０からトナーカートリッジ１のオーガギア２３に駆動力が入力される。すると、図２に示すように、オーガ４が回転する。また、オーガギア２３から図示しないギア列を介してアジテータ３に駆動力が入力され、アジテータ３が回転する。
【０１１２】
すると、アジテータ３が回転することにより、第１内部空間２Ｄ内のトナーが、第２内部空間２Ｅへ搬送される。
【０１１３】
次いで、図４に示すように、第２内部空間２Ｅ内のトナーは、オーガ４により、第２内部空間２Ｅからシャッタ１３の内部空間へ搬送される。
【０１１４】
その後、図２７に示すように、シャッタ１３の内部空間内のトナーは、第２開口１３Ｄと第１開口２Ｃとが重なることにより形成される開口、および、現像シャッタ５１の開口５１Ａと現像開口３６とが重なることにより形成される開口を介して、現像器３１のトナー収容部３３内に供給される。すなわち、第１開口２Ｃは、第２内部空間２Ｅ内のトナーが排出されることを許容する。
【０１１５】
７．作用効果
図１から図３に示すように、第２トナー収容部２Ｂは、第２方向において、第１トナー収容部２Ａの一方側に位置する。これにより、第１方向におけるトナーカートリッジ１の小型化を図りながら、第２方向において、第１トナー収容部２Ａおよび第２トナー収容部２Ｂにより、十分なトナー容量を確保できる。
【０１１６】
また、図１３および図１４に示すように、トナーカートリッジ１を現像器３１に取り付けたときには、第１突起５および第２突起６により、トナーカートリッジ１を現像器３１に対して位置決めすることができる。これにより、現像器３１に対して第１開口２Ｃを正確に位置決めすることができる。
【０１１７】
そして、トナーカートリッジ１は、現像器３１に取り付けられた後、図２に示すように、アジテータ３によって、第１トナー収容部２Ａ内のトナーを第２トナー収容部２Ｂに搬送し、図４に示すように、オーガ４によって、第２トナー収容部２Ｂ内のトナーを第１開口２Ｃに搬送する。
【０１１８】
これにより、アジテータ３およびオーガ４によって、第１トナー収容部２Ａから第１開口２Ｃまで円滑にトナーを搬送することができる。また、オーガ４によってトナーを搬送することにより、第１開口２Ｃから排出されるトナーの量を調整することができる。なお、第１開口２Ｃは、第１方向において第２トナー収容部２Ｂの一方側に位置するので、第１方向に延びるオーガ４を設けるという簡易な構成で、第１開口２Ｃへトナーを搬送できる。これにより、部品点数の低減を図りながら、第１開口２Ｃへトナーを搬送できる。
【０１１９】
総括すると、図１に示すように、第１方向において第２トナー収容部２Ｂの一方側に第１突起５が位置し、第１方向において第２トナー収容部２Ｂの他方側に第２突起６が位置し、第１突起５と第２突起６との間にいて、オーガ４によって第１開口２Ｃへトナーを搬送することにより、部品点数の低減を図りながら、現像器３１に対して正確に位置決めされた第１開口２Ｃへ円滑にトナーを搬送することができ、第１開口２Ｃから排出されるトナーの量を調整することができる。
【０１２０】
その結果、トナーカートリッジ１は、トナーを円滑に搬送し、トナーの排出量を調整できる。
【符号の説明】
【０１２１】
１      トナーカートリッジ
２      筐体
２Ａ    第１トナー収容部
２Ｂ    第２トナー収容部
２Ｃ    第１開口
２Ｄ    第１内部空間
２Ｅ    第２内部空間
３      アジテータ
４      オーガ
４Ｃ    一端部
４Ｄ    他端部
５      第１突起
６      第２突起
１１    第３開口
１２    カバー
１３    シャッタ
１３Ｄ  第２開口
２０    第１貫通穴
２１    ギアカバー
２３    オーガギア
２４Ａ  ギア部
２４Ｂ  ギア部
３１    現像器
Ａ１    第１軸
Ａ２    第２軸
Ａ３    第３軸
Ｌ１    幅
Ｌ２    幅
【図１】
2017182008.tif 000003
【図２】
2017182008.tif 000004
【図３】
2017182008.tif 000005
【図４】
2017182008.tif 000006
【図５】
2017182008.tif 000007
【図６】
2017182008.tif 000008
【図７】
2017182008.tif 000009
【図８】
2017182008.tif 000010
【図９】
2017182008.tif 000011
【図１０】
2017182008.tif 000012
【図１１】
2017182008.tif 000013
【図１２】
2017182008.tif 000014
【図１３】
2017182008.tif 000015
【図１４】
2017182008.tif 000016
【図１５】
2017182008.tif 000017
【図１６】
2017182008.tif 000018
【図１７】
2017182008.tif 000019
【図１８】
2017182008.tif 000020
【図１９】
2017182008.tif 000021
【図２０】
2017182008.tif 000022
【図２１】
2017182008.tif 000023
【図２２】
2017182008.tif 000024
【図２３】
2017182008.tif 000025
【図２４】
2017182008.tif 000026
【図２５】
2017182008.tif 000027
【図２６】
2017182008.tif 000028
【図２７】
2017182008.tif 000029
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
第１方向に延びる筐体であって、
前記第１方向に延びる第１内部空間を含む第１トナー収容部と、
前記第１方向に延びる第２内部空間であって、前記第１内部空間と接続された第２内部空間を含む第２トナー収容部であって、第２方向において前記第１トナー収容部の一方側に位置する第２トナー収容部とを備える筐体であって、
前記第１方向において前記第２トナー収容部の一方側に位置する第１開口であって、前記第２内部空間内のトナーが排出されることを許容するための第１開口を有する筐体と、
前記第１方向に延びる第１軸について回転可能なアジテータであって、前記第１内部空間内の前記トナーを撹拌するためのアジテータであって、前記第１内部空間から前記第２内部空間へ前記トナーを搬送するためのアジテータと、
前記第１方向に延びる第２軸について回転可能なオーガであって、前記第２内部空間から前記第１開口へ前記トナーを搬送するためのオーガと、
前記第１方向において前記第２トナー収容部の一方側、かつ、前記第１開口の一方側に位置する第１突起であって、前記第１方向に延びる第１突起と、
前記第１方向において前記第２トナー収容部の他方側に位置する第２突起であって、前記第１方向に延びる第２突起と、を備え、
前記第１方向および前記第２方向と交差する第３方向における前記第２突起の幅は、前記第３方向における第１突起の幅と異なることを特徴とするトナーカートリッジ。
【請求項２】
第１方向に延びる筐体であって、
前記第１方向に延びる第１内部空間を含む第１トナー収容部と、
前記第１方向に延びる第２内部空間であって、前記第１内部空間と接続された第２内部空間を含む第２トナー収容部であって、第２方向において前記第１トナー収容部の一方側に位置する第２トナー収容部とを備える筐体であって、
前記第１方向において前記第２トナー収容部の一方側に位置する第１開口であって、前記第２内部空間内のトナーが排出されることを許容するための第１開口を有する筐体と、
前記第１方向に延びる第１軸について回転可能なアジテータであって、前記第１内部空間内の前記トナーを撹拌するためのアジテータであって、前記第１内部空間から前記第２内部空間へ前記トナーを搬送するためのアジテータと、
前記第１方向に延びる第２軸について回転可能なオーガであって、前記第２内部空間から前記第１開口へ前記トナーを搬送するためのオーガと、
前記第１方向において前記第２トナー収容部の一方側、かつ、前記第１開口の一方側に位置する第１突起であって、前記第１方向に延びる第１突起と、
前記第１方向において前記第２トナー収容部の他方側に位置する第２突起であって、前記第１方向に延びる第２突起と、を備え、
前記第１突起および前記第２突起は、トナーカートリッジが現像器に装着されるときに、前記現像器に対して位置決めされ、前記トナーカートリッジは、前記現像器に装着された後、前記筐体が前記第１突起と前記第２突起とを中心に前記現像器に対してピボットすることにより、前記現像器に取り付けられることを特徴とするトナーカートリッジ。
【請求項３】
前記第１突起は、前記第１軸と前記第２軸とを結ぶことにより定義される第２方向に延び、
前記第２突起は、前記第２方向に延びることを特徴とする請求項１または請求項２に記載のトナーカートリッジ。
【請求項４】
前記第１方向および前記第２方向と交差する第３方向における前記第２突起の幅は、前記第３方向における第１突起の幅と異なることを特徴とする請求項２に記載のトナーカートリッジ。
【請求項５】
前記オーガは、前記第１方向における一端部と、前記一端部と前記第１方向に離れた他端部とを有し、
前記第１方向における前記オーガの一端部の周面の一部は、前記第１開口を介して露出されることを特徴とする請求項１から請求項４のいずれか一項に記載のトナーカートリッジ。
【請求項６】
前記トナーカートリッジは、さらに、
前記第１開口を閉じる閉状態と、前記第１開口を開ける開状態とを有し、前記第１方向における前記第２トナー収容部の一端部に位置するシャッタであって、前記第１突起を備えるシャッタを備えることを特徴とする請求項１から請求項５のいずれか一項に記載のトナーカートリッジ。
【請求項７】
前記第１突起は、前記シャッタから前記第１方向に延びることを特徴とする請求項６に記載のトナーカートリッジ。
【請求項８】
前記シャッタは、前記第１方向に延びる第３軸について、回転可能であって、閉位置から開位置へ回転可能であり、
前記シャッタが前記閉位置に位置する場合、前記シャッタは前記第１開口を閉じ、
前記シャッタが前記開位置に位置する場合、前記シャッタは前記第１開口を開けることを特徴とする請求項６または請求項７に記載のトナーカートリッジ。
【請求項９】
前記第１突起は、前記シャッタと共に回転可能であることを特徴とする請求項８に記載のトナーカートリッジ。
【請求項１０】
前記シャッタは、第２開口を有し、
前記シャッタが前記開位置に位置する場合、前記第２開口の少なくとも一部と、前記第１開口の少なくとも一部が重なることを特徴とする請求項８または請求項９に記載のトナーカートリッジ。
【請求項１１】
前記オーガは、前記第１方向における一端部と、前記一端部と前記第１方向に離れた他端部とを有し、
前記第１方向における前記オーガの一端部の周面の一部は、前記第１開口を介して露出され、
前記シャッタが前記開位置に位置する場合、前記オーガの一端部は、前記第１開口を介して露出されることを特徴とする請求項８から請求項１０のいずれか一項に記載のトナー カートリッジ。
【請求項１２】
前記第２トナー収容部は、前記第２トナー収容部の一端部に位置する第３開口を有し、
前記筐体は、さらに、
前記第２トナー収容部の一端部を覆うカバーであって、前記第３開口を覆うカバーを備えることを特徴とする請求項１から請求項１１のいずれか一項に記載のトナーカートリッジ。
【請求項１３】
前記第２トナー収容部は、前記第２トナー収容部の一端部に位置する第３開口を有し、
前記オーガは、前記第１方向における一端部と、前記一端部と前記第１方向に離れた他端部とを有し、
前記オーガの一端部は、前記第３開口を介して、前記第２トナー収容部から露出され、
前記カバーは、前記オーガの一端部の少なくとも一部を覆うことを特徴とする請求項１２に記載のトナーカートリッジ。
【請求項１４】
前記カバーは、前記カバーの外表面に位置する複数のギア歯であって、前記オーガの回転方向に沿って並ぶ複数のギア歯を有することを特徴とする請求項１２または請求項１３に記載のトナーカートリッジ。
【請求項１５】
前記オーガは、前記第１方向における一端部と、前記一端部と前記第１方向に離れた他端部とを有し、
前記トナーカートリッジは、さらに、
前記オーガの他端部に装着されたオーガギアであって、前記オーガと共に回転可能なオーガギアを備え、
前記第２突起は、前記オーガギアよりも、前記第１方向において前記第１開口から離れて位置することを特徴とする請求項１から請求項１４のいずれか一項に記載のトナーカートリッジ。
【請求項１６】
前記トナーカートリッジは、さらに、前記オーガギアの少なくとも一部を覆うギアカ バーを備え、
前記第２突起は、前記ギアカバーから前記第１方向に延びることを特徴とする請求項１５に記載のトナーカートリッジ。
【請求項１７】
前記第２トナー収容部は、前記第２トナー収容部の前記第１方向における他端部に位置する第１貫通穴であって、前記第１方向に前記第２トナー収容部を貫通する第１貫通穴を有し、
前記第１方向におけるオーガの他端部は、前記第１貫通穴に挿入され、
前記オーガギアは、前記第２トナー収容部の外表面に位置することを特徴とする請求項１５または請求項１６に記載のトナーカートリッジ。
【請求項１８】
前記第１開口は、前記第１方向において、前記第１トナー収容部よりも一方側に位置することを特徴とする請求項１から請求項１７のいずれか一項に記載のトナーカートリッジ。
【請求項１９】
前記アジテータは、前記第１軸に沿って延びるアジテータシャフトと、前記アジテータシャフトとともに回転可能な羽根であって、前記第１内部空間内に位置する羽根とを備え、
前記第１開口は、前記第１方向において、前記アジテータの前記羽根よりも一方側に位置することを特徴とする請求項１から請求項１８のいずれか一項に記載のトナーカートリッジ。
【請求項２０】
前記第１突起および前記第２突起は、トナーカートリッジが現像器に装着されるときに、前記現像器に対して位置決めされ、
前記トナーカートリッジは、前記現像器に装着された後、前記筐体が前記第１突起と前記第２突起とを中心に前記現像器に対してピボットすることにより、前記現像器に取り付けられることを特徴とする請求項１に記載のトナーカートリッジ。